(57)【要約】  本願は、較正機器及び方法、並びに波長分割多重化システムを提供する。較正機器は、第１多重化装置に１第検出信号を送信するよう構成される送信モジュールと、第１多重化装置を通過する第１検出信号を受信し、第１多重化装置及び第２多重化装置を通過する第２検出信号を受信するよう構成される受信モジュールと、第１検出信号の中心周波数を調整し、その結果、第１検出信号の調整された中心周波数が第１多重化装置の中心周波数に揃えられ、第２検出信号の中心周波数及び第１多重化装置の中心周波数を調整し、その結果、第１多重化装置の中心周波数が第２検出信号の中心周波数と揃えられる、よう構成される処理モジュールと、を含む。本願の実施形態で提供される技術的ソリューションは、送信過程における光ファイバの挿入損失を低減でき、それにより、送信リンクに渡る光信号損失の要件を満たす。
2021502724.tif 000002
【特許請求の範囲】
【請求項１】
較正機器であって、送信モジュールと、受信モジュールと、処理モジュールと、を含み、
前記送信モジュールは、第１多重化装置に第１検出信号を送信するよう構成され、
前記受信モジュールは、前記第１多重化装置を通過する前記第１検出信号を受信し、前記第１多重化装置を通過する前記第１検出信号のパワーを検出するよう構成され、
前記処理モジュールは、検出結果に基づき前記第１検出信号の中心周波数を調整するよう構成され、その結果、前記第１検出信号の調整された中心周波数が、前記第１多重化装置の中心周波数と揃えられ、
前記送信モジュールは、更に、前記第１検出信号の前記中心周波数が前記第１多重化装置の前記中心周波数と揃えられると、前記第１多重化装置及び第２多重化装置に、第２検出信号を送信するよう構成され、前記第１多重化装置の前記中心周波数は前記第２検出信号の中心周波数と揃えられ、
前記受信モジュールは、更に、前記第１多重化装置及び前記第２多重化装置を通過する前記第２検出信号を受信し、前記第１多重化装置及び前記第２多重化装置を通過する前記第２検出信号のパワーを検出するよう構成され、
前記処理モジュールは、更に、検出結果に基づき前記第２検出信号の前記中心周波数を調整するよう構成され、その結果、前記第２検出信号の調整された中心周波数は前記第２多重化装置の中心周波数と揃えられる、較正機器。
【請求項２】
前記処理モジュールは、更に具体的に、
前記第２検出信号が前記第１多重化装置及び前記第２多重化装置に送信される前に、前記第２検出信号の前記中心周波数及び前記第１多重化装置の前記中心周波数を調整するよう構成され、その結果、前記第２検出信号の前記中心周波数は、前記第１多重化装置の前記中心周波数と揃えられる、請求項１に記載の較正機器。
【請求項３】
前記第１多重化装置に接続され、前記第１多重化装置を通過する前記第１検出信号を、第１フィードバックユニットへとスプリットするよう構成されるテストアクセスポイントと、
前記第１多重化装置に接続され、前記第１多重化装置を通過する前記第１検出信号を前記較正機器に返すよう構成される前記第１フィードバックユニットと、
を更に含む請求項１又は２に記載の較正機器。
【請求項４】
前記第２多重化装置に接続され、前記第１多重化装置及び前記第２多重化装置を通過する前記第２検出信号を前記較正機器に返すよう構成される第２フィードバックユニット、を更に含む請求項１乃至３のいずれか一項に記載の較正機器。
【請求項５】
前記第１フィードバックユニット又は前記第２フィードバックユニットは反射コンポーネントである、請求項３又は４に記載の較正機器。
【請求項６】
較正方法であって、前記方法は、
第１多重化装置に第１検出信号を送信するステップと、
前記第１多重化装置を通過する前記第１検出信号を受信するステップと、
前記第１多重化装置を通過する前記第１検出信号のパワーを検出し、検出結果に基づき前記第１検出信号の中心周波数を調整するステップであって、その結果、前記第１検出信号の調整された中心周波数が、前記第１多重化装置の中心周波数と揃えられる、ステップと、
前記第１検出信号の前記中心周波数が前記第１多重化装置の前記中心周波数と揃えられると、前記第１多重化装置及び第２多重化装置に、第２検出信号を送信するステップであって、前記第１多重化装置の前記中心周波数は前記第２検出信号の中心周波数と揃えられる、ステップと、
前記第１多重化装置及び前記第２多重化装置を通過する前記第２検出信号を受信するステップと、
前記第１多重化装置及び前記第２多重化装置を通過する前記第２検出信号のパワーを検出し、検出結果に基づき前記第２検出信号の前記中心周波数を調整するステップであって、その結果、前記第２検出信号の調整された中心周波数は前記第２多重化装置の中心周波数と揃えられる、ステップと、
を含む方法。
【請求項７】
前記第１多重化装置の前記中心周波数は前記第２検出信号の中心周波数と揃えられることは、
前記第２検出信号が前記第１多重化装置及び前記第２多重化装置に送信される前に、前記第２検出信号の前記中心周波数及び前記第１多重化装置の前記中心周波数を調整し、その結果、前記第２検出信号の前記中心周波数は、前記第１多重化装置の前記中心周波数と揃えられることを含む、請求項６に記載の方法。
【請求項８】
前記方法は、更に、
前記第１多重化装置を通過する前記第１検出信号を較正機器に返すステップ、
を含む請求項６又は７に記載の方法。
【請求項９】
前記方法は、更に、
前記第１多重化装置及び前記第２多重化装置を通過する前記第２検出信号を前記較正機器に返すステップ、
を含む請求項６乃至８のいずれか一項に記載の方法。
【請求項１０】
波長分割多重化システムであって、較正機器と、第１多重化装置と、第２多重化装置と、を含み、前記第１多重化装置は前記較正機器に接続され、前記第２多重化装置はピアエンドに配置され、
前記較正機器は以下の動作：
前記第１多重化装置に第１検出信号を送信するステップと、
前記第１多重化装置を通過する前記第１検出信号を受信するステップと、
前記第１多重化装置を通過する前記第１検出信号のパワーを検出し、検出結果に基づき前記第１検出信号の中心周波数を調整するステップであって、その結果、前記第１検出信号の調整された中心周波数が、前記第１多重化装置の中心周波数と揃えられる、ステップと、
前記第１検出信号の前記中心周波数が前記第１多重化装置の前記中心周波数と揃えられると、前記第１多重化装置及び第２多重化装置に、第２検出信号を送信するステップであって、前記第１多重化装置の前記中心周波数は前記第２検出信号の中心周波数と揃えられる、ステップと、
前記第１多重化装置及び前記第２多重化装置を通過する前記第２検出信号を受信するステップと、
前記第１多重化装置及び前記第２多重化装置を通過する前記第２検出信号のパワーを検出し、検出結果に基づき前記第２検出信号の前記中心周波数を調整するステップであって、その結果、前記第２検出信号の調整された中心周波数は前記第２多重化装置の中心周波数と揃えられる、ステップと、
を実行するよう構成される、波長分割多重化システム。
【請求項１１】
前記較正機器は、具体的に、
前記第２検出信号が前記第１多重化装置及び前記第２多重化装置に送信される前に、前記第２検出信号の前記中心周波数及び前記第１多重化装置の前記中心周波数を調整し、その結果、前記第２検出信号の前記中心周波数は、前記第１多重化装置の前記中心周波数と揃えられる、よう構成される、請求項１０に記載の波長分割多重化システム。
【請求項１２】
第１光モジュール及び第２光モジュールを更に含み、前記第１光モジュールは前記第１多重化装置に接続され、前記第２光モジュールは前記第２多重化装置に接続され、
前記第１光モジュールは前記第２光モジュールに光信号を送信し、
前記第２光モジュールは前記の受信した光信号のパワーを検出し、パワー検出結果を前記第１光モジュールに送信し、
前記第１光モジュールは前記受信したパワー検出結果に基づき、前記光信号の中心周波数を調整し、その結果、前記光信号の調整された中心周波数は、前記第１多重化装置及び前記第２多重化装置の前記中心周波数と揃えられる、請求項１０又は１１に記載の波長分割多重化システム。
【請求項１３】
前記第１光モジュールは、前記第２多重化装置に接続され、前記第２光モジュールは、前記第１多重化装置に接続される、請求項１０乃至１２のいずれか一項に記載の波長分割多重化システム。
【請求項１４】
前記較正機器は、
前記第１多重化装置に接続され、前記第１多重化装置を通過する前記第１検出信号を、第１フィードバックユニットへとスプリットするよう構成されるテストアクセスポイントと、
前記第１多重化装置に接続され、前記第１多重化装置を通過する前記第１検出信号を前記較正機器に返すよう構成される前記第１フィードバックユニットと、
を更に含む請求項１０乃至１３に記載のいずれか一項に記載の波長分割多重化システム。
【請求項１５】
前記較正機器は、
前記第２多重化装置に接続され、前記第１多重化装置及び前記第２多重化装置を通過する前記第２検出信号を前記較正機器に返すよう構成される第２フィードバックユニット、を更に含む請求項１０乃至１４のいずれか一項に記載の波長分割多重化システム。
【請求項１６】
前記第１フィードバックユニット又は前記第２フィードバックユニットは反射コンポーネントである、請求項１４又は１５に記載の波長分割多重化システム。
【発明の詳細な説明】
【技術分野】
【０００１】
本願は、光伝送の分野に関し、より具体的には、構成機器及び方法、並びに波長分割多重化システムに関する。
【背景技術】
【０００２】
情報技術及び将来の第５世代（５th  generation,  ５G）通信技術の発展に伴い、人々は、高速データサービス及び画像サービスに対する益々高い要件を有する。したがって、受信端と送信端との間の帯域幅は特に急速に増大する。極めて急速な帯域幅の増大は、より多くの幹線光ケーブル及び分散光ケーブルが、受信端と送信端との間のネットワーク構築のために必要であることを意味する。
【０００３】
ネットワーク構築における光ケーブルの不足を解決するために、波長分割多重化（wavelength  division  multiplexing,  WDM）技術が使用されることがある。アレイ導波路回折格子（arrayed  waveguide  grating,  AWG）技術は、主に、受信端と送信端との間のネットワーク構築のためにより多くの幹線光ケーブル及び分散光ケーブルが必要であるという問題を解決するために、光波多重化及び逆多重化機能を実装するために使用される。しかしながら、従来、光信号が受信端と送信端との間のＡＷＧを通過するとき、挿入損失は比較的大きく、送信リンクに渡る光信号損失の要件を満たすことができない。
【０００４】
したがって、送信リンクに渡り光信号損失の要件を満たすために、光信号送信過程において多重化装置を通過する光信号の挿入損失をどのように低減するかが、解決されるべき緊急の問題になっている。
【発明の概要】
【０００５】
本願は、光信号送信過程において多重化装置を通過する光信号の挿入損失を低減し、それにより、送信リンクに渡る光信号損失の要件を満たすために、較正機器及び方法、並びに波長分割多重化システムを提供する。
【０００６】
第１の態様によると、較正機器が提供される。較正機器は、送信モジュールと、受信モジュールと、処理モジュールと、を含む。
【０００７】
送信モジュールは、第１多重化装置に第１検出信号を送信するよう構成される。
【０００８】
受信モジュールは、第１多重化装置を通過する第１検出信号を受信し、第１多重化装置を通過する第１検出信号のパワーを検出するよう構成される。
【０００９】
処理モジュールは、検出結果に基づき、第１検出信号の中心周波数を調整し、その結果、第１検出信号の調整された中心周波数が第１多重化装置の中心周波数と揃えられる、よう構成される。
【００１０】
送信モジュールは、更に、第１検出信号の中心周波数が第１多重化装置の中心周波数と揃えられると、第１多重化装置及び第２多重化装置に第２検出信号を送信し、ここで、第１多重化装置の中心周波数は第２検出信号の中心周波数と揃えられる、よう構成される。
【００１１】
受信モジュールは、更に、第１多重化装置及び第２多重化装置を通過する第２検出信号を受信し、第１多重化装置及び第２多重化装置を通過する第２検出信号のパワーを検出するよう構成される。
【００１２】
処理モジュールは、更に、検出結果に基づき、第２検出信号の中心周波数を調整し、その結果、第２検出信号の調整された中心周波数が第２多重化装置の中心周波数と揃えられる、よう構成される。
【００１３】
本願の本実施形態では、波長分割多重化システムの中のマルチプレクサ及びデマルチプレクサの中心周波数は、揃えられてよい。このように、マルチプレクサ及びデマルチプレクサを通過する光信号の挿入損失が光信号送信過程において低減でき、それにより、送信リンクに渡る光信号損失の要件を満たす。
【００１４】
第１の態様を参照して、第１の態様の幾つかの実装では、前記処理モジュールは、更に具体的に、
前記第２検出信号が前記第１多重化装置及び前記第２多重化装置に送信される前に、前記第２検出信号の前記中心周波数及び前記第１多重化装置の前記中心周波数を調整するよう構成され、その結果、前記第２検出信号の前記中心周波数は、前記第１多重化装置の前記中心周波数と揃えられる。
【００１５】
第１の態様を参照して、第１の態様の幾つかの実装では、前記較正機器は、テストアクセスポイントと、第１フィードバックユニットと、を更に含む。
【００１６】
テストアクセスポイントは、第１多重化装置に接続され、第１多重化装置を通過する第１検出信号を第１フィードバックユニットへとスプリットするよう構成される。
【００１７】
第１フィードバックユニットは、第１多重化装置に接続され、第１多重化装置を通過する第１検出信号を較正機器に返すよう構成される。
【００１８】
本願の本実施形態では、検出信号は、テストアクセスポイント及び第１フィードバックユニットを用いて元のパスに沿って較正機器へと返され、その結果、較正機器は、ＷＤＭシステムにおけるサービス送信過程で検出信号の中心周波数を調整でき、波長分割多重化システム内のマルチプレクサの中心周波数とデマルチプレクサの中心周波数とを揃えさせる。
【００１９】
第１の態様を参照して、第１の態様の幾つかの実装では、前記較正機器は、第２フィードバックユニットと、を更に含む。
【００２０】
第２フィードバックユニットは、第２多重化装置に接続され、第１多重化装置及び第２多重化装置を通過する第２検出信号を較正機器に返すよう構成される。
【００２１】
本願の本実施形態では、第１多重化装置及び第２多重化装置を通過する検出信号は、第２フィードバックユニットを用いて元のパスに沿って返されてよく、パワー検出が実行されてよい。検出信号の中心周波数は、検出されたパワーに基づき調整され、その結果、検出信号の中心周波数は、第１多重化装置及び第２多重化装置の中心周波数と揃えられる。このように、マルチプレクサ及びデマルチプレクサを通過する光信号の挿入損失が光信号送信過程において低減でき、それにより、送信リンクに渡る光信号損失の要件を満たす。
【００２２】
第１の態様を参照して、第１の態様の幾つかの実装では、第１フィードバックユニット又は第２フィードバックユニットは反射コンポーネントである。
【００２３】
本願の本実施形態では、検出信号は、反射コンポーネントを用いて較正機器に返されてよく、これは実装が容易である。
【００２４】
第２の態様によると、較正方法が提供される。前記方法は、
第１多重化装置に第１検出信号を送信するステップと、
前記第１多重化装置を通過する前記第１検出信号を受信するステップと、前記第１多重化装置を通過する前記第１検出信号のパワーを検出し、検出結果に基づき前記第１検出信号の中心周波数を調整するステップであって、その結果、前記第１検出信号の調整された中心周波数が、前記第１多重化装置の中心周波数と揃えられる、ステップと、
前記第１検出信号の前記中心周波数が前記第１多重化装置の前記中心周波数と揃えられると、前記第１多重化装置及び第２多重化装置に、第２検出信号を送信するステップであって、前記第１多重化装置の前記中心周波数は前記第２検出信号の中心周波数と揃えられる、ステップと、
前記第１多重化装置及び前記第２多重化装置を通過する前記第２検出信号を受信するステップと、
前記第１多重化装置及び前記第２多重化装置を通過する前記第２検出信号のパワーを検出し、検出結果に基づき前記第２検出信号の前記中心周波数を調整するステップであって、その結果、前記第２検出信号の調整された中心周波数は前記第２多重化装置の中心周波数と揃えられる、ステップと、を含む。
【００２５】
第２の態様を参照して、第２の態様の幾つかの実装では、前記第１多重化装置の前記中心周波数が前記第２検出信号の中心周波数と揃えられることは、
前記第２検出信号が前記第１多重化装置及び前記第２多重化装置に送信される前に、前記第２検出信号の前記中心周波数及び前記第１多重化装置の前記中心周波数を調整し、その結果、前記第２検出信号の前記中心周波数は、前記第１多重化装置の前記中心周波数と揃えられることを含む。
【００２６】
第２の態様を参照して、第２の態様の幾つかの実装では、前記方法は、更に、
前記第１多重化装置を通過する前記第１検出信号を較正機器に返すステップ、
を含む。
【００２７】
第２の態様を参照して、第２の態様の幾つかの実装では、前記方法は、第１多重化装置及び第２多重化装置を通過する第２検出信号を較正機器に返すステップ、を更に含む。
【００２８】
第３の態様によると、波長分割多重化システムであって、較正機器と、第１多重化装置と、第２多重化装置と、を含む波長分割多重化システムが提供される。
【００２９】
第１多重化装置は、較正機器に接続され、第２多重化装置はピアエンドに配置される。
【００３０】
較正機器は、以下の動作：第１多重化装置に第１検出信号を送信するステップと、
前記第１多重化装置を通過する前記第１検出信号を受信するステップと、前記第１多重化装置を通過する前記第１検出信号のパワーを検出し、検出結果に基づき前記第１検出信号の中心周波数を調整するステップであって、その結果、前記第１検出信号の調整された中心周波数が、前記第１多重化装置の中心周波数と揃えられる、ステップと、
前記第１検出信号の前記中心周波数が前記第１多重化装置の前記中心周波数と揃えられると、前記第１多重化装置及び第２多重化装置に、第２検出信号を送信するステップであって、前記第１多重化装置の前記中心周波数は前記第２検出信号の中心周波数と揃えられる、ステップと、
前記第１多重化装置及び前記第２多重化装置を通過する前記第２検出信号を受信するステップと、
前記第１多重化装置及び前記第２多重化装置を通過する前記第２検出信号のパワーを検出し、検出結果に基づき前記第２検出信号の前記中心周波数を調整するステップであって、その結果、前記第２検出信号の調整された中心周波数は前記第２多重化装置の中心周波数と揃えられる、ステップと、を実行するよう構成される。
【００３１】
第３の態様を参照して、第３の態様の幾つかの実装では、前記波長分割多重化システムは、第１光モジュールと、第２光モジュールと、を更に含む。
【００３２】
第１光モジュールは、第１多重化装置に接続され、第２光モジュールは、第２多重化装置に接続される。
【００３３】
前記第１光モジュールは前記第２光モジュールに光信号を送信し、
前記第２光モジュールは前記の受信した光信号のパワーを検出し、パワー検出結果を前記第１光モジュールに送信し、
前記第１光モジュールは前記受信したパワー検出結果に基づき、前記光信号の中心周波数を調整し、その結果、前記光信号の調整された中心周波数は、前記第１多重化装置及び前記第２多重化装置の前記中心周波数と揃えられる。
【００３４】
第３の態様を参照して、第３の態様の幾つかの実装では、前記第１光モジュールは、前記第２多重化装置に接続され、前記第２光モジュールは、前記第１多重化装置に接続される。
【００３５】
本願の本実施形態では、光モジュールの送信される光信号の波長の中心周波数は、調整され得る。その結果、光モジュールの送信される光信号の波長の中心周波数は、多重化装置（マルチプレクサ又はデマルチプレクサ）の中心周波数と揃えられる。このように、多重化装置を通過する光信号の挿入損失が光信号送信過程において低減でき、それにより、送信リンクに渡る光信号損失の要件を満たす。
【００３６】
第３の態様を参照して、第３の態様の幾つかの実装では、前記較正機器は、テストアクセスポイントと、第１フィードバックユニットと、を更に含む。
【００３７】
テストアクセスポイントは、第１多重化装置に接続され、第１多重化装置を通過する第１検出信号を第１フィードバックユニットへとスプリットするよう構成される。
【００３８】
第１フィードバックユニットは、第１多重化装置に接続され、第１多重化装置を通過する第１検出信号を較正機器に返すよう構成される。
【００３９】
第３の態様を参照して、第３の態様の幾つかの実装では、前記較正機器は、第２フィードバックユニットを更に含む。
【００４０】
第２フィードバックユニットは、第２多重化装置に接続され、第１多重化装置及び第２多重化装置を通過する第２検出信号を較正機器に返すよう構成される。
【００４１】
第３の態様を参照して、第３の態様の幾つかの実装では、第１フィードバックユニット又は第２フィードバックユニットは反射コンポーネントである。
【００４２】
第４の態様によると、コンピュータプログラムを含むコンピュータ可読記憶媒体が提供される。コンピュータプログラムがコンピュータ又はプロセッサ上で実行されると、該プロセッサは、第２の態様又は第２の態様の実装のうちのいずれか１つの方法を実行可能にされる。
【００４３】
第５の態様によると、コンピュータプログラムプロダクトが提供される。コンピュータプログラムプロダクトがコンピュータ又はプロセッサ上で実行されると、該コンピュータ又はプロセッサは、第２の態様又は第２の態様の実装のうちのいずれか１つの方法を実行可能にされる。
【図面の簡単な説明】
【００４４】
【図１】ＷＤＭシステム１００の概略ブロック図である。
【００４５】
【図２】本願の一実施形態によるＷＤＭシステム２００の概略構造図である。
【００４６】
【図３】本願の一実施形態による較正機器２１０の概略ブロック図である。
【００４７】
【図４】本願の一実施形態による可能な較正機器２１０の概略ブロック図である。
【００４８】
【図５】本願の一実施形態によるＷＤＭシステム５００の概略ブロック図である。
【００４９】
【図６】本願の一実施形態による較正方法の概略フローチャートである。
【発明を実施するための形態】
【００５０】
以下は、添付の図面を参照して、本願の技術的ソリューションを説明する。
【００５１】
情報技術及び将来の５Ｇ技術の発展に伴い、人々は、高速データサービス及び画像サービスに対する益々高い要件を有する。したがって、受信端と送信端との間の帯域幅は特に急速に増大する。極めて急速な帯域幅の増大は、より多くの幹線光ケーブル及び分散光ケーブルが、受信端と送信端との間のネットワーク構築のために必要であることを意味する。
【００５２】
光ファイバ通信は、大きな通信容量、低い送信損失、良好な反電磁干渉性能、低いチャネルクロストーク、良好な機密性、等のために広く使用されている。ネットワーク構築における光ケーブルの不足を解決するために、波長分割多重化（wavelength  division  multiplexing,  WDM）（密波長分割多重化（dense  wavelength  division  multiplexing,  DWDM）とも呼ばれる）技術が使用されることがある。この技術は、既存の光バックボーンネットワークの膨大な帯域幅を効率的に使用でき、それにより、超大容量送信を実施し、ファイバリソース使用率及び回線投資を削減し、極めて急速な帯域幅の増大に対する人々の要件を一層効率的に満たす。
【００５３】
具体的に、ＷＤＭシステムは、キャリアとして光波を使用し、１本の光ファイバ上の幾つかのチャネルで信号を同時に送信するために異なる波長の光キャリアを使用してよい。データ（例えば、テキスト、音声、及びビデオ）変調を通じて取得された各信号は、信号のために指定された帯域幅の範囲内で送信される。このように、光ファイバの送信容量は大幅に増大され、所与の情報送信容量に対して、必要な光ファイバの合計量が低減できる。コスト効率がよく、ＷＤＭシステム技術の有効性のために、ＷＤＭシステム技術は、光ファイバ通信におけるネットワーク容量の拡大の主な手段になっている。
【００５４】
図１は、ＷＤＭシステム１００の概略ブロック図である。ＷＤＭシステム１００は、光モジュール１１０、多重化装置１２０、多重化装置１３０、光モジュール１４０、及び回線ファイバ１５０を含んでよい。
【００５５】
光モジュール１１０は、送信方向で、電気信号を、送信のために各チャネル上の単一波長の光信号に変換してよい。
【００５６】
光モジュール１４０は、受信方向で、単一波長の光信号を、各チャネル上の電気信号に変換してよい。
【００５７】
多重化装置１２０は、送信方向で（多重化のために）マルチプレクサ（multiplexer,  MUX）１２０として使用されてよく、複数の光ファイバのうちの全部の単一波長の光信号を、１本の光ファイバへと結合（多重化）してよく、１本の光ファイバを通じて複数の波長の信号を同時に送信してよい。
【００５８】
多重化装置１３０は、受信方向で（逆多重化のために）デマルチプレクサ（demultiplexer,  DEMUX）１３０として使用されてよく、１本の光ファイバ上の複数の波長の信号を複数の光ファイバへと分割（逆多重化）してよく、複数の光ファイバの全部の単一波長の光信号を受信してよい。
【００５９】
以下は、アレイ導波路回折格子（arrayed  waveguide  grating,  AWG）を多重化装置１２０及び多重化装置１３０として使用する。図１に示すＷＤＭシステム１００の動作原理が詳細に説明される。
【００６０】
図１に示すＷＤＭシステム１００は、双方向通信システムであってよい。以下は、単方向通信を説明のための例として使用する。例えば、多重化装置１２０は、ＭＵＸ１２０（光信号の送信端）として使用されてよく、多重化装置１３０は、ＤＥＭＵＸ１３０（光信号の受信端）として使用されてよい。
【００６１】
図１を参照すると、ＷＤＭシステム１００の中のｎ個の光モジュール１１０は、ｎ個のチャネル上の電気信号をｎ個の波長の光信号へと変換し、ｎ個の波長の光信号をＭＵＸ１２０のｎ個の分割ポートへと送信してよい。ＭＵＸ１２０は、ｎ個の分割ポートを通じて受信したｎ個の波長の光信号を、１本の光ファイバへと結合し（多重化し）、結合した光信号を、ＭＵＸ１２０の１つの結合ポートを通じて回線ファイバ１５０へ送信してよい。結合された光信号は、回線ファイバ１５０を通じてＤＥＭＵＸ１３０の１つの結合ポートへ送信されてよい。ＤＥＭＵＸ１３０は、１本の光ファイバ上のｎ個の波長の光信号を、ｎ本の光ファイバへと分割（逆多重化）してよく、分割した光信号を、ＤＥＭＵＸ１３０のｎ個の分割ポートを通じてｎ個の光モジュール１４０へ送信してよい。ｎ個の光モジュール１４０は、ｎ個のチャネル上の単一波長の光信号を、受信するために、電気信号へと変換してよい。
【００６２】
しかしながら、光信号がＷＤＭシステム１００を通過するとき、挿入損失は比較的大きく、送信リンクに渡る光信号損失の要件を満たすことができない。
【００６３】
本願の実施形態は、ＷＤＭシステムにおけるマルチプレクサ及びデマルチプレクサの中心周波数を揃えるために、較正機器を提案する。この方法では、マルチプレクサ又はデマルチプレクサを通過する光信号の挿入損失が光信号送信過程において低減でき、それにより、送信リンクに渡る光信号損失の要件を満たす。
【００６４】
図２を参照して、以下は、本願の実施形態で提供される較正機器２１０を詳細に説明する。較正機器２１０は、波長分割多重化ＷＤＭシステム２００に適用されてよい。
【００６５】
図２は、本願の一実施形態によるＷＤＭシステム２００の概略構造図である。ＷＤＭシステム２００は、光モジュール１１０、多重化装置１２０、多重化装置１３０、光モジュール１４０、回線ファイバ１５０、及び較正機器２１０を含んでよい。前述のモジュールの機能は、以下に詳細に説明される。
【００６６】
理解されるべきことに、多重化装置１２０の中心周波数と多重化装置１３０の中心周波数との間の整合を実施するために、図２に示すＷＤＭシステム２００は、ＷＤＭシステム１００に加えて較正機器２１０を含んでよい。
【００６７】
光モジュール１１０及び光モジュール１４０は、信号送信及び受信のためのコアコンポーネントであってよい。光モジュールは、具体的に、本願の本実施形態において限定されず、光モジュールは、シングルファイバ光モジュール、又はデュアルファイバ光モジュールであってよい。光モジュール１１０に関する特定の説明については、図１に関する説明を参照し、詳細はここで再び記載されない。
【００６８】
多重化装置１２０又は多重化装置１３０は、マルチプレクサ（ＭＵＸ）又はデマルチプレクサ（ＤＥＭＵＸ）であってよい。多重化装置１２０は、中心周波数調整をサポートする多重化装置、例えばサーマルＡＷＧ、又は中心周波数調整をサポートしない多重化装置、例えばアサーマルＡＷＧであってよい。多重化装置１２０及び多重化装置１３０に関する特定の説明については、図１に関する説明を参照し、詳細はここで再び記載されない。
【００６９】
回線ファイバ１５０は、シングルファイバであり、同じ１本の光ファイバ上で２方向の信号送信を実施してよい。回線ファイバ１５０は、代替として、デュアルファイバであり、一方の光ファイバ上である方向の送信を、他方の光ファイバ上で逆方向の送信を実施してよい。これは、本願において具体的に限定されない。
【００７０】
較正機器２１０は、送信される検出光信号の中心周波数を多重化装置１２０の中心周波数と揃えるために調整を行い、検出光信号の中心周波数が多重化装置１２０の中心周波数と揃えられると、検出信号の中心周波数を多重化装置１３０の中心周波数と揃えてよい。さらに、多重化装置１２０の中心周波数は、検出光信号の中心周波数と同期的に調整される。その結果、多重化装置１２０の中心周波数は、最終的に、多重化装置１３０の中心周波数と揃えられる。図３を参照して、以下は、較正機器２１０を詳細に説明する。
【００７１】
理解されるべきことに、多重化装置は１つの中心周波数を有する。多重化装置を通過する光信号の周波数が、多重化装置の中心周波数と等しいとき、多重化装置を通過する光信号の挿入損失は最小になる。したがって、光信号の周波数が多重化装置の中心周波数と等しく調整される（又は揃えられる）ことができれば、多重化装置を通過する光信号の最小挿入損失が達成でき、それにより、光信号の挿入損失を低減する。
【００７２】
留意すべきことに、図２に示す波長分割多重化システム２００において追加された較正機器２１０は、多重化装置１２０に統合され、又は多重化装置１２０と物理的に分離されてよい。これは、本願の本実施形態において具体的に限定されない。
【００７３】
図３は、本願の一実施形態による較正機器２１０の概略ブロック図である。図３に示す較正機器２１０は、送信モジュール３１０、受信モジュール３２０、及び処理モジュール３３０を含んでよい。
【００７４】
図２に示すＷＤＭシステム２００を参照して、以下は、図３に示す較正機器２１０の動作原理を詳細に説明する。
【００７５】
理解されるべきことに、図２に示すＷＤＭシステム２００は、双方向通信システムであってよい。説明を容易にするために、以下は、単方向通信を説明のための例として使用する。例えば、多重化装置１２０は、ＭＵＸ１２０（光信号の送信端）として使用されてよく、多重化装置１３０は、ＤＥＭＵＸ１３０（光信号の受信端）として使用されてよい。
【００７６】
送信モジュール３１０は、第１検出信号を多重化装置１２０へ送信し、第２検出信号を多重化装置１３０へ更に送信してよい。さらに、送信モジュール１３０は、送信される検出信号の中心周波数又は波長を更に変更してよい。
【００７７】
送信モジュール３１０により送信される検出信号は、本願の本実施形態で具体的に限定されない。例えば、検出信号は、単一の波長を有してよい。別の例では、検出信号は、複数の波長を有してよい。
【００７８】
受信モジュール３２０は、多重化装置１２０を通過する第１検出信号を受信し、多重化装置１２０を通過する第１検出信号のパワーを検出してよい。受信モジュール３２０は、更に、多重化装置１２０及び多重化装置１３０を通過する第２検出信号を受信し、多重化装置１２０及び多重化装置１３０を通過する第２検出信号のパワーを検出してよい。
【００７９】
処理モジュール３３０は、第１検出信号を多重化装置１２０へ送信し、第１検出信号の調整した中心周波数が多重化装置１２０の中心周波数に揃えられるまで、第１検出信号の検出したパワーに基づき、第１検出信号の中心周波数を調整してよい。第１検出信号の中心周波数が多重化装置１２０の中心周波数と揃えられると、同様に、較正機器２１０は、第２検出光信号を多重化装置１２０及び多重化装置１３０へ送信する。第２検出信号の検出されたパワーに基づき、第２検出信号の中心周波数は、第２検出信号の中心周波数が多重化装置１３０の中心周波数と揃えられるまで、調整されてよい。
【００８０】
任意で、幾つかの実施形態では、第１検出信号の中心周波数が多重化装置１２０の中心周波数と揃えられると、較正機器２１０が第２検出光信号を多重化装置１２０及び多重化装置１３０へ送信する前に、第２検出光信号の中心周波数が調整されてよい。その結果、多重化装置１２０の中心周波数は、第２検出光信号の中心周波数と揃えられる。
【００８１】
任意で、幾つかの実施形態では、中心周波数が多重化装置１２０の中心周波数と揃えられた第２検出信号は、多重化装置１２０及び多重化装置１３０へ送信され、多重化装置１２０及び多重化装置１３０を通過する第２検出光信号が検出され得る。さらに、第２検出信号の中心周波数は、第２検出信号の検出されたパワーに基づき調整されえ、多重化装置１２０の中心周波数は、第２検出信号の中心周波数と同期的に調整される。多重化装置１２０及び第２検出信号の中心周波数が調整された後に、調整された中心周波数を有する第２検出光信号は、多重化装置１２０及び多重化装置１３０へ再び送信されてよい。さらに、多重化装置１２０及び多重化装置１３０を通過する第２検出光信号のパワーが検出され、第２検出光信号の検出されたパワーに基づき、第２検出信号の中心周波数が多重化装置１３０の中心周波数と揃えられ及び多重化装置１２０の中心周波数が第２検出信号の中心周波数に対応して同期的に揃えられる（つまり、多重化装置１２０の中心周波数が多重化装置１３０の中心周波数と揃えられる）まで、前述の調整処理が繰り返される。
【００８２】
以下は、処理モジュール３３０が多重化装置１２０を通過する検出信号の中心周波数を調整する処理を、説明のための一例として使用する。
【００８３】
例えば、較正機器２１０の中の処理モジュール３３０は、多重化装置１２０を通過する検出信号のパワーを検出し、検出したパワーに基づき検出信号の中心周波数を変更する。例えば、検出信号の中心周波数は、増大または減少されてよい。その結果、多重化装置１２０を通過する検出信号のパワーはより大きくなる。多重化装置１２０を通過する検出信号のパワーが最大パワー又は予め定められた閾に達するまで、検出信号の中心周波数の調整が終了してよい。この場合、較正機器２１０により送信された検出信号が多重化装置１２０を通過した後に生じる挿入損失は最小化され、検出信号の中心周波数は、多重化装置１２０の中心周波数と揃えられる。
【００８４】
留意すべきことに、挿入損失は、光信号のパワー損失（送信パワーと受信パワーとの間の差）を示すために使用されてよい。挿入損失が小さいほど、光信号のパワー損失が小さいことを示す。したがって、多重化装置１２０を通過する検出信号の受信パワーが最大値又は予め定められた閾に達すると、つまり、受信パワーが大きくなると、検出信号のパワー損失は小さくなり、検出信号の挿入損失が小さくなる。本願の本実施形態では、挿入損失は送信距離に影響する主要パラメータである。
【００８５】
以下は、多重化装置１２０の中心周波数が、検出光信号の中心周波数と同期的に調整され、その結果、多重化装置１２０の中心周波数が、最終的に、多重化装置１３０の中心周波数と揃えられる処理を詳細に記載する。
【００８６】
本願の本実施形態では、多重化装置１２０が中心周波数調整をサポートできる一例を使用する。多重化装置１２０は、温度を用いて多重化装置１２０の中心周波数を調整してよい。したがって、検出信号の中心周波数が多重化装置１３０の中心周波数と揃うよう調整される処理では、多重化装置１２０は、多重化装置１２０の中心周波数を検出信号の中心周波数に常に揃えさせるために加熱回路を用いて、多重化装置１２０の中心周波数を制御してよい。このように、多重化装置１２０の中心周波数は、最終的に、多重化装置１３０の中心周波数と揃えられることができる。
【００８７】
本願の本実施形態では、較正機器２１０は、従来のＷＤＭシステム１００を基準に追加されてよい。その結果、多重化装置１２０の中心周波数と多重化装置１３０の中心周波数との間の整合が実施でき、それにより、多重化装置を通過する光信号の挿入損失を低減し、送信リンクに渡る光信号損失の要件を満たす。
【００８８】
図４は、本願の一実施形態による可能な較正機器２１０の概略ブロック図である。図４に示す較正機器２１０は、パルス生成器４１０、光源４２０、光指向性カプラ４３０、光パワー検出器４４０、及びマスタクロック４５０を含んでよい。
【００８９】
パルス生成器４１０は、必要な電気パルス信号を生成し、電気パルス信号を光源４２０へ送信してよい。
【００９０】
光源４２０は、パルス生成器４１０により生成された、受信した電気パルス信号を光検出信号に変換し、光検出信号を光指向性カプラ４３０を通じてファイバ回線へ送信してよい。
【００９１】
パルス生成器４１０及び光源４２０は、統合されてよい。例えば、パルス生成器４１０及び光源４２０は、レーザ又は送信機であってよい。図３の送信モジュール３１０はレーザ又は送信機であってよく、パルス生成器４１０及び光源４２０を含む。
【００９２】
光指向性カプラ４３０は、光源４２０により送信された受信した光検出信号を、特定方向に、出力及び／又は入力してよい。任意で、図３の送信モジュール１３０は、光指向性カプラ４３０を更に含んでよく、図３の受信モジュール３２０も、光指向性カプラ４３０を含んでよい。
【００９３】
光パワー検出器４４０は、光指向性カプラ４３０から受信した検出信号のパワーを検出してよい。図３の受信モジュール３２０は、光パワー検出器４４０を用いて実装されてよい。
【００９４】
マスタクロック４５０は、パルス生成器４１０のためにクロックを提供してよい。その結果、パルス生成器４１０は、ある周波数でパルス電気信号を生成する。つまり、マスタクロック４５０は、ファイバ回線に送信される検出信号の周波数を変更してよい。光パワー検出器４４０により送信されたパワー検出結果に基づき、マスタクロック４５０は、パルス生成器４１０がパルス電気信号を生成する周波数を変更し、つまり検出信号の周波数を変更してよい。図３の処理モジュール３３０は、マスタクロック４５０を用いて実装されてよい。図３の処理モジュール３３０は、プロセッサ、例えばデジタル信号プロセッサ（digital  signal  processor,  DSP）又はフィールドプログラマブルゲートアレイ（field−programmable  gate  array,  FPGA）であってよい。格納されたプログラムコードが実行されると、マスタクロック４５０は、中心周波数調整機能を実装するよう制御される。
【００９５】
マスタクロック４５０が、パルス生成器４１０がパルス電気信号を生成する周波数を変更した後に、パルス電気信号は、パルス生成器４１０、光源４２０、光指向性カプラ４３０、及び光パワー検出器４４０を繰り返し通過してよい。光パワー検出器４４０は、多重化装置を通過する検出信号のパワーに基づき、連続的に検出を実行し、検出信号の中心周波数が多重化装置の中心周波数と揃えられるまで、パワー検出結果に基づき検出信号の周波数を調整する。周波数調整の実装に関する特定の説明については、図２に関する説明を参照する。詳細はここで再び記載されない。
【００９６】
本願の本実施形態では、較正機器２１０が、多重化装置１２０を通過する検出信号、又は多重化装置１２０及び多重化装置１３０を通過する検出信号を受信する複数の実装がある。これは、本願の本実施形態において具体的に限定されない。例えば、検出信号が多重化装置１２０を通過した後に、検出信号のパワーが検出されてよく、検出信号の中心周波数がパワーに基づき調整されてよい。別の例では、検出信号が多重化装置１２０を通過した後に、検出信号は２つの信号にスプリットされてよい。サービス送信処理では、２つの信号のうちのサービス信号は、通常、多重化装置１３０へ、回線ファイバ１５０を通じて送信されてよく、２つの信号のうちの検出信号は、パワー検出及び中心周波数調整のために、較正機器２１０へ元のパスに沿って返されてよい。以下は、図５を参照して本実装を詳細に記載する。詳細はここに記載されない。
【００９７】
任意で、幾つかの実施形態では、検出信号が多重化装置１２０を通過した後に、光分離を通じて取得された検出信号は、パワー検出及び中心周波数調整のために、元のパスに沿って較正機器２１０に返されてよい。較正機器２１０は、テストアクセスポイント（test  access  point,  TAP）及びフィードバックユニットを更に含んでよい。
【００９８】
テストアクセスポイントＴＡＰは、複数の入力端及び複数の出力端を備える光ファイバタンデムコンポーネントであってよく、通常、光信号データ収集を実施するために、光信号カップル、スプリット、及び分配のために構成される。例えば、検出信号は、２つの信号にスプリットされてよい。サービス送信処理では、２つの信号のうちのサービス信号は、通常、多重化装置１３０へ、回線ファイバを通じて送信されてよく、スプリットを通じて得られた検出信号は、較正機器２１０へ元のパスに沿って返されてよい。
【００９９】
フィードバックユニットは、テストアクセスポイントＴＡＰにより実行されたスプリットを通じて取得された検出信号を、較正機器２１０へ元のパスに沿って返してよい。フィードバックユニットは、本願の実施形態において具体的に限定されない。例えば、フィードバックユニットは、ループコンポーネント又は反射コンポーネントであってよく、テストアクセスポイントＴＡＰにより実行されたスプリットを通じて取得された検出信号を全部反射してよい。その結果、検出信号は、較正機器２１０へ元のパスに沿って返される。別の例では、フィードバックユニットは、代替として、パワー検出コンポーネントであってよい。テストアクセスポイントＴＡＰにより実行されたスプリットを通じて取得された検出信号のパワーを検出した後に、フィードバックユニットは、検出信号を較正機器２１０へ返してよい。
【０１００】
本願の実施形態では、較正機器２１０は、複数の方法で実装されてよい。例えば、フィードバックユニットがパワー検出コンポーネントであるとき、較正機器２１０は、光モジュールであってよく、光信号の送信端として使用されてよい。別の例では、フィードバックユニットがループコンポーネント又は反射コンポーネントであるとき、較正機器２１０は、代替として、検出信号を多重化装置１２０へ送信し、多重化装置を通過する検出信号のパワーを検出してよい。例えば、較正機器は、光時間ドメイン反射測定器（optical  time  domain  reflectometer,  OTDR）であってよい。フィードバックユニット及びテストアクセスポイントＴＡＰの特定の実装処理については、図５に関する以下の説明を参照する。詳細はここに記載されない。
【０１０１】
理解されるべきことに、光時間ドメイン反射測定器ＯＴＤＲは、光送信機及び光受信機を含んでよい。光送信機は、光検出信号を送信するよう構成されてよい。光検出信号がファイバ回線内の障害物に達すると、光検出信号は反射される。光受信機は、反射された信号を受信し、反射された信号の強度に基づき、光ファイバ回線又は要素を通過する光検出信号のパワー損失（挿入損失とも呼ばれる）を決定するよう構成されてよい。
【０１０２】
本願の実施形態では、第１多重化装置及び第２多重化装置を通過する検出信号は、第２フィードバックユニットを用いて元のパスに沿って返されてよく、パワー検出が実行されてよい。検出信号の中心周波数は、検出されたパワーに基づき調整され、その結果、検出信号の中心周波数は、第１多重化装置及び第２多重化装置の中心周波数と揃えられる。このように、マルチプレクサ及びデマルチプレクサを通過する光信号の挿入損失が光信号送信過程において低減でき、それにより、送信リンクに渡る光信号損失の要件を満たす。
【０１０３】
任意で、幾つかの実施形態では、多重化装置１２０及び多重化装置１３０の中心周波数を揃えることに加えて、光モジュール１１０の中心周波数又は光モジュール１４０の中心周波数を、多重化装置１２０及び多重化装置１３０の中心周波数と揃えるステップが更に追加されてよい。この方法では、挿入損失が低減でき、それにより、送信リンクに渡る光信号損失の要件を満たす。光モジュール１１０の中心周波数を調整する特定の実装については、図５に関する以下の説明を参照する。詳細はここに記載されない。
【０１０４】
本願の実施形態では、光モジュールの送信される光信号の波長の中心周波数は、調整され得る。その結果、光モジュールの送信される光信号の波長の中心周波数は、多重化装置（マルチプレクサ又はデマルチプレクサ）の中心周波数と揃えられる。このように、多重化装置を通過する光信号の挿入損失が光信号送信過程において低減でき、それにより、送信リンクに渡る光信号損失の要件を満たす。
【０１０５】
図５の特定の例を参照して、以下は、本願の本実施形態による、多重化装置間の、及び多重化装置と光モジュールとの間の中心周波数調整の実装の特定の実装をより詳細に説明する。留意すべきことに、図５の例は、単に当業者が本願の実施形態を理解することを助けることを意図しており、本願の実施形態を本例に示された特定の値または特定のシナリオに限定するものではない。明らかに、当業者は、種々の均等な変更又は変化を図５に提供された例に基づき実行でき、そのような変更及び変化も、本願の実施形態の範囲内に包含される。
【０１０６】
図５は、本願の一実施形態によるＷＤＭシステム５００の概略ブロック図である。ＷＤＭシステム５００は、光モジュール５１５、挿入損失較正ユニット５２０、サーマルガウシアンＡＷＧ５２５、テストアクセスポイントＴＡＰ５３０、
第１フィードバックユニット５３５、回線ファイバ５４０、アサーマルガウシアンＡＷＧ５５０、第２フィードバックユニット５５５、及び光モジュール５６０を含んでよい。
【０１０７】
理解されるべきことに、図５に示すＷＤＭシステム５００は、双方向通信システムであってよい。説明を容易にするために、以下は、ＷＤＭシステム５００の各モジュールを詳細に説明するために、単方向通信を一例として使用する。例えば、サーマルガウシアンＡＷＧ５２５側は、信号の送信端として使用されてよく、アサーマルガウシアンＡＷＧ５５０は信号の受信端として使用されてよい。
【０１０８】
図５の挿入損失較正ユニット５２０、第１フィードバックユニット５３５、及びテストアクセスポイントＴＡＰ５３０は、前述の較正機器２１０に対応してよい。サーマルガウシアンＡＷＧ５２５は、前述の多重化装置１２０に対応してよく、アサーマルガウシアンＡＷＧ５５０は前述の多重化装置１３０に対応してよい。
【０１０９】
以下は、光信号送信側のモジュールを詳細に説明する。
【０１１０】
サーマルガウシアンＡＷＧ５２５は、分割ポートと、結合ポートと、を含んでよい。ｎ個の光モジュール５１５により実行された変換を通じて取得されたｎ個の光信号は、ｎ個の分割ポートを通過し、サーマルガウシアンＡＷＧ５２５により多重化されてよい。多重化された光信号は、１つの結合ポートを通じて、アサーマルガウシアンＡＷＧ５５０へ送信される。
【０１１１】
光モジュール５１５は、サーマルガウシアンＡＷＧ５２５の入力ポートに位置してよい。
【０１１２】
挿入損失較正ユニット５２０は、単一の送信機及び受信機（transmitter  X  &  receiver  X,  TX  &  RX）統合ポートを含んでよい。挿入損失較正ユニット５２０は、サーマルガウシアンＡＷＧ５２５の入力端に位置してよく、送信された検出信号は、サーマルガウシアンＡＷＧ５２５のｎ番目のポートを通じてサーマルガウシアンＡＷＧ５２５に入力してよい。
【０１１３】
留意すべきことに、本願の本実施形態では、挿入損失較正ユニット５２０は、サーマルガウシアンＡＷＧ５２５と統合され、又はサーマルガウシアンＡＷＧ５２５と別個に配備されてよい。挿入損失較正ユニット５２０の特定の形式は、本願の本実施形態で限定されない。
【０１１４】
テストアクセスポイントＴＡＰ５３０は、サーマルガウシアンＡＷＧ５２５の出力端に位置し、３個のポート（例えば、１個の入力ポートと２個の出力ポート、又は１個の出力ポートと２個の入力ポート）を含んでよい。
【０１１５】
第１フィードバックユニット５３５は、テストアクセスポイントＴＡＰ５３０の１個の出力ポートに位置し、テストアクセスポイントＴＡＰ５３０の１個の出力ポートの光信号を全部反射してよい。
【０１１６】
以下は、光信号受信側のモジュールを詳細に説明する。
【０１１７】
アサーマルガウシアンＡＷＧ５５０は、ｎ個の分割ポートと１個の結合ポートとを含んでよい。ｎ個の光モジュール５６０は、アサーマルガウシアンＡＷＧ５５０のｎ個の分割ポートを用いる逆多重化を通じて取得されたｎ個の光信号を受信してよい。
【０１１８】
光モジュール５６０は、アサーマルガウシアンＡＷＧ５５０の出力ポートに位置してよい。
【０１１９】
第２フィードバックユニット５５５は、アサーマルガウシアンＡＷＧ５５０の出力端に位置し、アサーマルガウシアンＡＷＧ５５０のｎ番目の出力ポートの光信号を全部反射してよい。
【０１２０】
図５に示すＷＤＭシステム５００は、サーマルガウシアンＡＷＧ５２５及びアサーマルガウシアンＡＷＧ５５０の中心周波数を揃えるため、及び光モジュール５１５及び光モジュール５６０の中心周波数をサーマルガウシアンＡＷＧ５２５及びアサーマルガウシアンＡＷＧ５５０の中心周波数と揃えるために使用できる。
【０１２１】
先ず、以下は、挿入損失較正ユニット５２０により送信された検出信号の中心周波数を、サーマルガウシアンＡＷＧ５２５の中心周波数と揃える特定の実装を説明する。
【０１２２】
挿入損失較正ユニット５２０のＴＸ＆ＲＸ統合ポートは、検出信号をサーマルガウシアンＡＷＧ５２５へ送信する。ここで、検出信号は、サーマルガウシアンＡＷＧ５２５のｎ番目のポートを通じてサーマルガウシアンＡＷＧ５２５に入力する。サーマルガウシアンＡＷＧ５２５により多重化された後に、サーマルガウシアンＡＷＧ５２５のポート０により出力された検出信号は、テストアクセスポイントＴＡＰ５３０により２つの信号へとスプリットされてよい。サービス送信処理では、２つの信号のうちのサービス信号は、通常、アサーマルガウシアンＡＷＧ５５０へ、回線ファイバを通じて送信されてよく、スプリットを通じて得られた検出信号は、第１フィードバックユニット５３５へ送信されてよい。第１フィードバックユニット５３５は、検出信号を全部反射し、検出信号を元のパスに沿ってサーマルガウシアンＡＷＧ５２５のｎ番目のポートへ返してよい。挿入損失較正ユニット５２０のＴＸ＆ＲＸ統合ポートは、サーマルガウシアンＡＷＧ５２５のｎ番目のポートから受信された検出信号を処理する。
【０１２３】
具体的に、挿入損失較正ユニット５２０は、サーマルガウシアンＡＷＧ５２５を通過する検出信号のパワーを検出し、検出結果に基づき検出信号の中心周波数を調整してよい。検出信号の中心周波数を調整する処理に関する特定の説明については、図２に関する説明を参照する。詳細はここで再び記載されない。
【０１２４】
次に、サーマルガウシアンＡＷＧ５２５の中心周波数をアサーマルガウシアンＡＷＧ５５０の中心周波数と揃える特定の実装が説明される。
【０１２５】
挿入損失較正ユニット５２０のＴＸ＆ＲＸ統合ポートは、サーマルガウシアンＡＷＧ５２５の中心周波数と揃えられた中心周波数を有する検出信号を送信してよい。検出信号は、サーマルガウシアンＡＷＧ５２５及び回線ファイバ５４０を通過し、アサーマルガウシアンＡＷＧ５５０のポート０を通じてアサーマルガウシアンＡＷＧ５５０に入力してよい。アサーマルガウシアンＡＷＧ５５０により逆多重化された後に、検出信号はアサーマルガウシアンＡＷＧ５５０のｎ番目のポートから出力される。第２フィードバックユニット５５５は、アサーマルガウシアンＡＷＧ５５０のｎ番目のポートから受信した検出信号を全部反射し、検出信号を元のパスに沿って挿入損失較正ユニット５２０のＴＸ＆ＲＸ統合ポートへ返してよい。挿入損失較正ユニット５２０は、サーマルガウシアンＡＷＧ５２５及びアサーマルガウシアンＡＷＧ５５０を通過する検出信号を処理する。
【０１２６】
具体的に、挿入損失較正ユニット５２０は、サーマルガウシアンＡＷＧ５２５及びアサーマルガウシアンＡＷＧ５５０を通過する検出信号のパワーを検出し、検出結果に基づき検出信号の中心周波数を調整してよい。さらに、検出信号の中心周波数と揃えられたサーマルガウシアンＡＷＧ５２５の中心周波数は、挿入損失較正ユニット５２０により送信された検出信号の中心周波数と同期的に調整される（例えば、サーマルガウシアンＡＷＧ５２５の中心周波数は、温度調整により調整されてよく、その結果、サーマルガウシアンＡＷＧ５２５の中心周波数は、挿入損失較正ユニット５２０により送信された検出信号の中心周波数と常に揃えられる）。サーマルガウシアンＡＷＧ５２５の中心周波数は、検出光信号の中心周波数と揃えられ、検出信号の中心周波数は、アサーマルガウシアンＡＷＧ５５０の中心周波数と揃えられる。したがって、サーマルガウシアンＡＷＧ５２５の中心周波数とアサーマルガウシアンＡＷＧ５５０の中心周波数との間の調整が実装できる。検出信号の中心周波数の調整、及び検出信号の中心周波数に同期的に対応するサーマルガウシアンＡＷＧ５２５の調整に関する特定の説明については、図２に関する説明を参照する。詳細はここで再び記載されない。
【０１２７】
最後に、光モジュール５１５を光信号の送信端として使用して、光モジュール５１５により送信される光信号の中心周波数をサーマルガウシアンＡＷＧ５２５及びアサーマルガウシアンＡＷＧ５５０の中心周波数と揃えるよう、光モジュール５１５により送信される光信号の中心周波数を調整する特定の実装が、説明される。
【０１２８】
光モジュール５１５の送信端（transmitter,  TX）は光信号を送信し、光モジュール５６０の受信端（receiver,  RX）は光信号を受信する。光モジュール５１５は、光モジュール５１５により送信される光信号の中心周波数を微調整してよい。さらに、光モジュール５６０は、光モジュール５６０により受信された光信号のパワーを素早く検出し、パワー検出結果を光モジュール５１５にフィードバックする。パワー検出結果に基づき、光モジュール５１５は、光モジュール５１５により送信される光信号の中心周波数を調整してよい。光モジュール５６０が、受信した光信号が最大受信パワーを有することを検出すると、光モジュール５６０は、光モジュール５１５に通知メッセージを送信してよく、光モジュール５６０は、送信される光信号の中心周波数の調整を停止するよう、光モジュール５１５に指示してよい。この場合、光モジュール５１５により送信される光信号の中心周波数は、サーマルガウシアンＡＷＧ５２５及びアサーマルガウシアンＡＷＧ５５０の中心周波数と揃えられる。
【０１２９】
任意で、幾つかの実施形態では、光モジュール５６０は、光信号の送信端として使用されてよく、光モジュール５１５は、光信号の受信端として使用されてよい。以下は、光モジュール５６０を光信号の送信端として使用して、光モジュール５６０により送信される光信号の中心周波数をサーマルガウシアンＡＷＧ５２５及びアサーマルガウシアンＡＷＧ５５０の中心周波数と揃えるよう、光モジュール５６０により送信される光信号の中心周波数を調整する特定の処理を説明する。
【０１３０】
光モジュール５６０のＴＸは光信号を送信し、光モジュール５１５のＲＸは光信号を受信する。光モジュール５６０は、光モジュール５６０により送信される光信号の中心周波数を微調整してよい。さらに、光モジュール５１５は、光モジュール５１５により受信された光信号のパワーを素早く検出する。光モジュール５１５が、受信した光信号が最大受信パワーを有することを検出すると、光モジュール５１５は、光モジュール５６０に通知メッセージを送信してよく、光モジュール５１５は、送信される光信号の中心周波数の調整を停止するよう、光モジュール５６０に指示してよい。この場合、光モジュール５６０により送信される光信号の中心周波数は、サーマルガウシアンＡＷＧ５２５及びアサーマルガウシアンＡＷＧ５５０の中心周波数と揃えられる。
【０１３１】
留意すべきことに、光モジュール５１５により送信される光信号の中心周波数は、最初に調整されてよく、又は光モジュール５６０により送信される光信号の中心周波数が最初に調整されてよい。これは、本願の実施形態において具体的に限定されない。
【０１３２】
任意で、幾つかの実施形態では、ＷＤＭシステムは、光信号の中心周波数または検出信号の中心周波数を高速で調整してよい。
【０１３３】
光信号が多重化装置を通過するとき、本願の本実施形態で提供されるＷＤＭシステムが使用される前に、光信号の挿入損失は６ｄＢであり、本願の本実施形態で提供されるＷＤＭシステムが使用された後に、光信号の挿入損失は３．５ｄＢである。挿入損失は約４０％だけ低減された。本願の本実施形態で提供されたＷＤＭシステムが使用される前に、送信リンクに渡る光信号のパワーは８ｄＢであり、本願の本実施形態で提供されたＷＤＭシステムが使用された後に、送信リンクにおける光信号のパワーは１２ｄＢである。送信リンクのパワー割り当ては５０％だけ増大した。
【０１３４】
したがって、本願の本実施形態で提供されたＷＤＭシステムは、光信号送信過程において多重化装置を通過する光信号の挿入損失を低減するために使用でき、それにより、送信リンクに渡る光信号損失の要件を満たす。
【０１３５】
図１〜図５を参照して、異常は、本発明の実施形態で提供される較正機器を詳細に説明した。図６を参照して、以下は、本願の実施形態で提供された較正方法を詳細に記載する。
【０１３６】
図６は、本願の一実施形態による較正方法の概略フローチャートである。方法は、ステップ６１０〜ステップ６６０を含む  。以下は、ステップ６１０〜ステップ６６０を詳細に説明する。
【０１３７】
ステップ６１０。第１多重化装置に第１検出信号を送信する。
【０１３８】
ステップ６２０。第１多重化装置を通過する第１検出信号を受信する。
【０１３９】
ステップ６３０。第１多重化装置を通過する第１検出信号のパワーを検出し、検出結果に基づき、第１検出信号の中心周波数を調整する。その結果、第１検出信号の調整された中心周波数が第１多重化装置の中心周波数と揃えられる。
【０１４０】
ステップ６４０。第１検出信号の中心周波数が第１多重化装置の中心周波数と揃えられると、第１多重化装置及び第２多重化装置に第２検出信号を送信する。ここで、第２検出信号の中心周波数は、第１多重化装置の中心周波数と揃えられる。
【０１４１】
ステップ６５０。第１多重化装置及び第２多重化装置を通過する第２検出信号を受信する。
【０１４２】
ステップ６６０。第１多重化装置及び第２多重化装置を通過する第２検出信号のパワーを検出し、検出結果に基づき、第２検出信号の中心周波数を調整する。その結果、第２検出信号の調整された中心周波数が第２多重化装置の中心周波数と揃えられる。
【０１４３】
理解されるべきことに、方法の実施形態の説明は機器の実施形態の説明に対応する。したがって、詳細に説明されない部分については、前述の機器の実施形態を参照する。詳細はここで再び記載されない。
【０１４４】
本願の本実施形態で提供される較正機器を用いて、波長分割多重化システムの中のマルチプレクサ及びデマルチプレクサの中心周波数を揃えることができる。このように、マルチプレクサ及びデマルチプレクサを通過する光信号の挿入損失が光信号送信過程において低減でき、それにより、送信リンクに渡る光信号損失の要件を満たす。
【０１４５】
当業者は、本明細書に開示された実施形態で記載された例と組み合わせて、ユニット及びアルゴリズムが電子ハードウェア又はコンピュータソフトウェアと電子ハードウェアとの組み合わせにより実装されてよいことを認識し得る。機能がハードウェア又はソフトウェアにより実行されるかは、技術的ソリューションの特定の適用及び設計制約条件に依存する。当業者は、特定の適用毎に、記載の機能を実施するために異なる方法を使用してよいが、実装が本願の範囲を超えると考えられるべきではない。
【０１４６】
便宜上及び簡潔な説明を目的として、前述のシステム、機器、及びユニットの詳細な作動プロセスについては、前述の方法の実施形態における対応するプロセスを参照し、詳細はここで再び記載されないことが、当業者により明確に理解され得る。
【０１４７】
本明細書で使用される「コンポーネント」、「モジュール」、及び「システム」のような用語は、端末装置関連エンティティ、ハードウェア、ファームウェア、ハードウェアとソフトウェアとの組み合わせ、ソフトウェア、又は実行中のソフトウェアを示すために使用される。理解されるべきことに、本願の実施形態における方法、場合、種類、及び実施形態の分割は、単に説明を容易にするためであり、特定の限定を構成するべきではなく、種々の方法、種類、場合、及び実施形態における特徴は、矛盾のない場合に結合されてよい。
【０１４８】
更に理解されるべきことに、本願の実施形態における「第１」、「第２」、及び「第３」は、単に互いの間を区別することを意図しており、本願に対するいかなる限定としても考えられるべきではない。理解されるべきことに、前述の処理のシーケンス番号は、本願の種々の実施形態における実行順序を意味しない。処理の実行順序は、処理の機能及び内部ロジックに従い決定されるべきであり、本願の実施形態の実装処理に対する限定として考えられるべきではない。理解されるべきことに、前述の処理のシーケンス番号は、本願の種々の実施形態における実行順序を意味しない。処理の実行順序は、処理の機能及び内部ロジックに従い決定されるべきであり、本発明の実施形態の実装処理に対する限定として考えられるべきではない。
【０１４９】
留意すべきことに、用語「及び／又は」は、関連付けられたオブジェクトを説明する関連付け関係を記述し、３つの関係が存在し得ることを表す。例えば、Ａ及び／又はＢは、以下の３つの場合を表してよい。Ａのみが存在する、Ａ及びＢの両方が存在する、並びに、Ｂのみが存在する。文字「／」は、通常、関連付けられたオブジェクトの間の「又は」の関係を示す。用語「少なくとも１つの」は、１つ以上を意味する。用語「Ａ及びＢのうちの少なくとも１つ」は、用語「Ａ及び／又はＢ」と同様に、関連付けられたオブジェクト間の関連付け関係を説明し、３つの関係が存在し得ることを表す。例えば、Ａ及びＢのうちの少なくとも１つは、以下の３つの場合を表してよい。Ａのみが存在する、Ａ及びＢの両方が存在する、並びに、Ｂのみが存在する。以下は、添付の図面を参照して、本願の技術的ソリューションを説明する。
【０１５０】
さらに、本願の態様又は特徴は、方法、機器、又は標準的なプログラミング及び／又はエンジニアリング技術を使用するプロダクトとして実装されてよい。本願において使用される用語「プロダクト」は、任意のコンピュータ可読コンポーネント、キャリア、又は媒体からアクセス可能なコンピュータプログラムを包含する。例えば、コンピュータ可読媒体は、限定ではないが、磁気記憶コンポーネント（例えば、ハードディスク、フロッピーディスク、又は磁気テープ）、光ディスク（例えば、コンパクトディスク（compact  disc,  CD）、又はデジタルバーサタイルディスク（digital  versatile  disc,  DVD））、スマートカード、及びフラッシュメモリコンポーネント（例えば、消去可能プログラマブル読み出し専用メモリ（Erasable  Programmable  Read−Only  Memory,  EPROM）、カード、スティック、又はキードライブ）を含んでよい。さらに、本明細書に記載の種々の記憶媒体は、情報を格納するために構成される１つ以上の装置及び／又は他の機械可読媒体を示してよい。用語「機械可読媒体」は、限定ではないが、無線チャネル、命令及び／又はデータを格納し、含み、及び／又は運ぶことのできる種々の他の媒体を含んでよい。
【０１５１】
機能がソフトウェア機能ユニットの形式で実装され、独立した製品として販売され又は使用されるとき、機能は、コンピュータ可読記憶媒体に格納されてよい。このような理解に基づき、基本的に又は部分的に従来技術に貢献する本願の技術的ソリューション又は技術的ソリューションのうちの一部は、ソフトウェアプロダクトの形式で実装されてよい。ソフトウェアプロダクトは、記憶媒体に格納され、本願の実施形態で記載された方法のステップのうちの全部又は一部を実行するようコンピュータ装置（これは、パーソナルコンピュータ、サーバ、装置であってよい）に指示するための幾つかの命令を含む。前述の記憶媒体は、プログラムコードを格納できる、ＵＳＢフラッシュドライブ、取り外し可能ハードディスク、読み出し専用メモリ（read−only  memory,  ROM）、ランダムアクセスメモリ（random  access  memory,  RAM）、磁気ディスク、又は光ディスクのような、任意の媒体を含む。
【０１５２】
前述の説明は、単に本願の特定の実装であり、本願の保護範囲を限定することを意図しない。本願で開示された技術的範囲の範囲内にある、当業者により直ちに考案される任意の変形又は置換は、本願の保護範囲の中に包含されるべきである。したがって、本願の保護範囲は、特許請求の範囲の保護範囲に従うべきである。
【図１】
2021502724.tif 000003
【図２】
2021502724.tif 000004
【図３】
2021502724.tif 000005
【図４】
2021502724.tif 000006
【図５】
2021502724.tif 000007
【図６】
2021502724.tif 000008
【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
較正機器であって、送信モジュールと、受信モジュールと、処理モジュールと、を含み、
前記送信モジュールは、第１多重化装置に第１検出信号を送信するよう構成され、
前記受信モジュールは、前記第１多重化装置を通過する前記第１検出信号を受信し、前記第１多重化装置を通過する前記第１検出信号のパワーを検出するよう構成され、
前記処理モジュールは、検出結果に基づき前記第１検出信号の中心周波数を調整するよう構成され、その結果、前記第１検出信号の調整された中心周波数が、前記第１多重化装置の中心周波数と揃えられ、
前記送信モジュールは、更に、前記第１検出信号の前記中心周波数が前記第１多重化装置の前記中心周波数と揃えられると、前記第１多重化装置及び第２多重化装置に、第２検出信号を送信するよう構成され、前記第１多重化装置の前記中心周波数は前記第２検出信号の中心周波数と揃えられ、
前記受信モジュールは、更に、前記第１多重化装置及び前記第２多重化装置を通過する前記第２検出信号を受信し、前記第１多重化装置及び前記第２多重化装置を通過する前記第２検出信号のパワーを検出するよう構成され、
前記処理モジュールは、更に、検出結果に基づき前記第２検出信号の前記中心周波数を調整するよう構成され、その結果、前記第２検出信号の調整された中心周波数は前記第２多重化装置の中心周波数と揃えられる、較正機器。
【請求項２】
前記処理モジュールは、更に、
前記第２検出信号が前記第１多重化装置及び前記第２多重化装置に送信される前に、前記第２検出信号の前記中心周波数及び前記第１多重化装置の前記中心周波数を調整するよう構成され、その結果、前記第２検出信号の前記中心周波数は、前記第１多重化装置の前記中心周波数と揃えられる、請求項１に記載の較正機器。
【請求項３】
前記第１多重化装置に接続され、前記第１多重化装置を通過する前記第１検出信号を、第１フィードバックユニットへとスプリットするよう構成されるテストアクセスポイントと、
前記第１多重化装置に接続され、前記第１多重化装置を通過する前記第１検出信号を前記較正機器に返すよう構成される前記第１フィードバックユニットと、
を更に含む請求項１又は２に記載の較正機器。
【請求項４】
前記第２多重化装置に接続され、前記第１多重化装置及び前記第２多重化装置を通過する前記第２検出信号を前記較正機器に返すよう構成される第２フィードバックユニット、を更に含む請求項１乃至３のいずれか一項に記載の較正機器。
【請求項５】
前記第１フィードバックユニットは反射コンポーネントである、請求項３に記載の較正機器。
【請求項６】
較正方法であって、前記方法は、
第１多重化装置に第１検出信号を送信するステップと、
前記第１多重化装置を通過する前記第１検出信号を受信するステップと、
前記第１多重化装置を通過する前記第１検出信号のパワーを検出し、検出結果に基づき前記第１検出信号の中心周波数を調整するステップであって、その結果、前記第１検出信号の調整された中心周波数が、前記第１多重化装置の中心周波数と揃えられる、ステップと、
前記第１検出信号の前記中心周波数が前記第１多重化装置の前記中心周波数と揃えられると、前記第１多重化装置及び第２多重化装置に、第２検出信号を送信するステップであって、前記第１多重化装置の前記中心周波数は前記第２検出信号の中心周波数と揃えられる、ステップと、
前記第１多重化装置及び前記第２多重化装置を通過する前記第２検出信号を受信するステップと、
前記第１多重化装置及び前記第２多重化装置を通過する前記第２検出信号のパワーを検出し、検出結果に基づき前記第２検出信号の前記中心周波数を調整するステップであって、その結果、前記第２検出信号の調整された中心周波数は前記第２多重化装置の中心周波数と揃えられる、ステップと、
を含む方法。
【請求項７】
前記方法は、更に、
前記第２検出信号が前記第１多重化装置及び前記第２多重化装置に送信される前に、前記第２検出信号の前記中心周波数及び前記第１多重化装置の前記中心周波数を調整するステップであって、その結果、前記第２検出信号の前記中心周波数は、前記第１多重化装置の前記中心周波数と揃えられる、ステップ、を含む請求項６に記載の方法。
【請求項８】
前記方法は、更に、
前記第１多重化装置を通過する前記第１検出信号を返すステップ、
を含む請求項６又は７に記載の方法。
【請求項９】
前記方法は、更に、
前記第１多重化装置及び前記第２多重化装置を通過する前記第２検出信号を返すステップ、
を含む請求項６乃至８のいずれか一項に記載の方法。
【請求項１０】
波長分割多重化システムであって、較正機器と、第１多重化装置と、第２多重化装置と、を含み、前記第１多重化装置は前記較正機器に接続され、前記第２多重化装置はピアエンドに配置され、
前記較正機器は以下の動作：
前記第１多重化装置に第１検出信号を送信するステップと、
前記第１多重化装置を通過する前記第１検出信号を受信するステップと、
前記第１多重化装置を通過する前記第１検出信号のパワーを検出し、検出結果に基づき前記第１検出信号の中心周波数を調整するステップであって、その結果、前記第１検出信号の調整された中心周波数が、前記第１多重化装置の中心周波数と揃えられる、ステップと、
前記第１検出信号の前記中心周波数が前記第１多重化装置の前記中心周波数と揃えられると、前記第１多重化装置及び第２多重化装置に、第２検出信号を送信するステップであって、前記第１多重化装置の前記中心周波数は前記第２検出信号の中心周波数と揃えられる、ステップと、
前記第１多重化装置及び前記第２多重化装置を通過する前記第２検出信号を受信するステップと、
前記第１多重化装置及び前記第２多重化装置を通過する前記第２検出信号のパワーを検出し、検出結果に基づき前記第２検出信号の前記中心周波数を調整するステップであって、その結果、前記第２検出信号の調整された中心周波数は前記第２多重化装置の中心周波数と揃えられる、ステップと、
を実行するよう構成される、波長分割多重化システム。
【請求項１１】
前記較正機器は、
前記第２検出信号が前記第１多重化装置及び前記第２多重化装置に送信される前に、前記第２検出信号の前記中心周波数及び前記第１多重化装置の前記中心周波数を調整し、その結果、前記第２検出信号の前記中心周波数は、前記第１多重化装置の前記中心周波数と揃えられる、よう構成される、請求項１０に記載の波長分割多重化システム。
【請求項１２】
第１光モジュール及び第２光モジュールを更に含み、前記第１光モジュールは前記第１多重化装置に接続され、前記第２光モジュールは前記第２多重化装置に接続され、
前記第１光モジュールは前記第２光モジュールに光信号を送信し、
前記第２光モジュールは前記の受信した光信号のパワーを検出し、パワー検出結果を前記第１光モジュールに送信し、
前記第１光モジュールは前記受信したパワー検出結果に基づき、前記光信号の中心周波数を調整し、その結果、前記光信号の調整された中心周波数は、前記第１多重化装置及び前記第２多重化装置の前記中心周波数と揃えられる、請求項１０又は１１に記載の波長分割多重化システム。
【請求項１３】
前記第１光モジュールは、前記第２多重化装置に接続され、前記第２光モジュールは、前記第１多重化装置に接続される、請求項１２に記載の波長分割多重化システム。
【請求項１４】
前記較正機器は、
前記第１多重化装置に接続され、前記第１多重化装置を通過する前記第１検出信号を、第１フィードバックユニットへとスプリットするよう構成されるテストアクセスポイントと、
前記第１多重化装置に接続され、前記第１多重化装置を通過する前記第１検出信号を前記較正機器に返すよう構成される前記第１フィードバックユニットと、
を更に含む請求項１０乃至１３に記載のいずれか一項に記載の波長分割多重化システム。
【請求項１５】
前記較正機器は、
前記第２多重化装置に接続され、前記第１多重化装置及び前記第２多重化装置を通過する前記第２検出信号を前記較正機器に返すよう構成される第２フィードバックユニット、を更に含む請求項１０乃至１４のいずれか一項に記載の波長分割多重化システム。
【請求項１６】
前記第１フィードバックユニットは反射コンポーネントである、請求項１４に記載の波長分割多重化システム。
【手続補正２】
【補正対象書類名】明細書
【補正対象項目名】００８３
【補正方法】変更
【補正の内容】
【００８３】
例えば、較正機器２１０の中の処理モジュール３３０は、多重化装置１２０を通過する検出信号のパワーを検出し、検出したパワーに基づき検出信号の中心周波数を変更する。例えば、検出信号の中心周波数は、増大または減少されてよい。その結果、多重化装置１２０を通過する検出信号のパワーはより大きくなる。多重化装置１２０を通過する検出信号のパワーが最大パワー又は予め定められた閾に達すると、検出信号の中心周波数の調整が終了してよい。この場合、較正機器２１０により送信された検出信号が多重化装置１２０を通過した後に生じる挿入損失は最小化され、検出信号の中心周波数は、多重化装置１２０の中心周波数と揃えられる。
【国際調査報告】
2021502724.tif 000009
2021502724.tif 000010
2021502724.tif 000011
2021502724.tif 000012